(57)【要約】      （修正有）【課題】リサイクル経路上の凝縮器からの凝縮水を適切に処理し得る燃料電池システムを提供する。【解決手段】燃料電池システムは、燃料と空気とを利用して発電反応により発電する燃料電池６と、燃料電池６で未利用の燃料と空気とを燃焼する燃焼部２３と、原料に含まれる硫黄成分を水添脱硫により除去する脱硫部３と、燃焼部２３の燃焼による燃焼熱を利用して、脱硫部３を通過した原料から燃料となる改質ガスを生成する改質器４と、改質器４から燃料電池６へと改質ガスを供給する改質ガス経路１６と、改質ガス経路１６の分岐部３５から分岐し、脱硫部３の上流側へ改質ガスを供給するリサイクル経路１９と、リサイクル経路１９の途中に配置され、改質ガス中の水蒸気を凝縮させる凝縮器２４と、凝縮器２４から、改質器４へ、又は、改質ガス経路１６のうちの分岐部３５より下流側に位置する合流部３６へ、凝縮器２４中の凝縮水を供給する水経路３３と、を備える。【選択図】図１
2014135149.tif 000002
【特許請求の範囲】
【請求項１】
供給された燃料と空気とを利用して発電反応により発電する燃料電池と、
前記燃料電池で未利用の燃料と空気とを燃焼する燃焼部と、
原料に含まれる硫黄成分を水添脱硫により除去する脱硫部と、
前記燃焼部の燃焼による燃焼熱を利用して、前記脱硫部を通過した原料から前記燃料となる改質ガスを生成する改質器と、
前記改質器から前記燃料電池へと改質ガスを供給する改質ガス経路と、
前記改質ガス経路の分岐部から分岐し、前記脱硫部の上流側へ前記改質ガスを供給するリサイクル経路と、
前記リサイクル経路の途中に配置され、前記改質ガス中の水蒸気を凝縮させる凝縮器と、
前記凝縮器から、前記改質器へ、又は、前記改質ガス経路のうちの前記分岐部より下流側に位置する合流部へ、前記凝縮器中の凝縮水を供給する水経路と、
を備える、燃料電池システム。
【請求項２】
前記水経路は、前記凝縮器から前記合流部へ前記凝縮器中の凝縮水を供給するように構成され、
前記合流部は、前記凝縮器よりも重力が作用する方向において下方に位置する、請求項１に記載の燃料電池システム。
【請求項３】
前記水経路の断面積は、前記改質ガス経路の断面積よりも小さい、請求項１又は２に記載の燃料電池システム。
【請求項４】
前記燃料電池、前記燃焼部及び前記改質器を少なくとも覆う断熱部をさらに備え、
前記凝縮器は、前記断熱部内に埋設されるように配置されている、請求項１−３のいずれか１つに記載の燃料電池システム。
【請求項５】
前記燃料電池は、固体酸化物形燃料電池である、請求項１−４のいずれか１つに記載の燃料電池システム。
【請求項６】
前記水経路に設けられた弁をさらに備える、請求項１−５のいずれか１つに記載の燃料電池システム。
【請求項７】
前記リサイクル経路のうちの前記凝縮器より下流側の部分に配置された減圧器をさらに備える、請求項１−６のいずれか１つに記載の燃料電池システム。
【発明の詳細な説明】
【技術分野】
【０００１】
本発明は、炭化水素を含む原料ガス（原料）から硫黄成分を除去する脱硫部を備えた燃料電池システムに関するものである。
【背景技術】
【０００２】
原料ガスとして炭化水素を用いる燃料電池システムでは、原料ガスを改質するために、例えば、水蒸気を用いた水蒸気改質が利用されている。この水蒸気改質を促進するために水蒸気改質触媒が用いられているが、原料ガス中には付臭剤または硫黄化合物が含まれており、これらによってこの水蒸気改質触媒が劣化させられる恐れがある。そこで、水蒸気改質触媒の劣化を抑制するために、原料ガス中に含まれる付臭剤または硫黄化合物を低減させる脱硫装置が利用されている。
【０００３】
このような脱硫装置としては、例えば、硫黄化合物を触媒（Ｎｉ−Ｍｏ系、Ｃｏ−Ｍｏ系）上で水素と反応させて硫化水素に変換し、この硫化水素を酸化亜鉛に取り込んで除去する、いわゆる水添脱硫法により脱硫を行なう水添脱硫装置が挙げられる。
【０００４】
水添脱硫装置は、水添脱硫法により脱硫を行なう際に水素を必要とするが、原料ガス中には通常、水素が含まれていない。そこで、水添脱硫装置に水素を供給する構成を備える燃料電池システムが提案されている（例えば、特許文献１、２）。
【０００５】
具体的には、特許文献１では、図５に示すように、改質器１１０からの改質ガスの一部が、リサイクルガス供給経路１１３を通じて、昇圧手段１１１の上流側に戻されるように構成された燃料電池システムが開示されている。燃料ガスは、昇圧手段１１１により昇圧され、脱硫器１０２へ供給される。このとき、リサイクルガス供給経路１１３上には、減圧手段の下流側に凝縮器が配されている。これにより、リサイクルガス供給経路１１３を流れる改質ガス中の水蒸気が除去されるので、改質ガスからの凝縮水によるリサイクルガス供給経路１１３の流路閉塞を抑制できる。
【０００６】
また、特許文献２では、図６に示すように、混合器２２０で混合された水と脱硫後の原燃料ガスとを、蒸発器２２６に供給する。そして、蒸発器２２６から改質器２０６に供給される、水蒸気を含む脱硫後の原燃料ガスの一部が分岐戻し流路２４２を介して燃料ガス供給経路２１６に戻される構成が開示されている。なお、分岐戻し流路２４２の二重管２４４内には炭化水素改質触媒が設けられており、これによって炭化水素を改質して得た水素含有ガスを、昇圧器２１７の上流側に戻すことができる。水素含有ガスは、昇圧器２１７で昇圧させ、脱硫器２０４へ供給される。
【先行技術文献】
【特許文献】
【０００７】
【特許文献１】特開２０１１−２１６３０８号公報
【特許文献２】特許第４９１１９２７号公報
【特許文献３】特許第２９９３５０７号公報
【発明の概要】
【発明が解決しようとする課題】
【０００８】
しかし、従来の燃料電池システムは、リサイクル経路上の凝縮器からの凝縮水の処理について十分に検討されていない。
【０００９】
本発明は、このような事情に鑑みてなされたものであり、従来に比べ、リサイクル経路上の凝縮器からの凝縮水を適切に処理し得る燃料電池システムを提供することを目的とする。
【課題を解決するための手段】
【００１０】
上記課題を解決するため、本発明に係る燃料電池システムは、供給された燃料と空気とを利用して発電反応により発電する燃料電池と、前記燃料電池で未利用の燃料と空気とを燃焼する燃焼部と、原料に含まれる硫黄成分を水添脱硫により除去する脱硫部と、前記燃焼部の燃焼による燃焼熱を利用して、前記脱硫部を通過した原料から前記燃料となる改質ガスを生成する改質器と、前記改質器から前記燃料電池へと改質ガスを供給する改質ガス経路と、前記改質ガス経路の分岐部から分岐し、前記脱硫部の上流側へ前記改質ガスを供給するリサイクル経路と、前記リサイクル経路の途中に配置され、前記改質ガス中の水蒸気を凝縮させる凝縮器と、前記凝縮器から、前記改質器へ、又は、前記改質ガス経路のうちの前記分岐部より下流側に位置する合流部へ、前記凝縮器中の凝縮水を供給する水経路と、を備える。
【発明の効果】
【００１１】
本発明に係る燃料電池システムは、以上に説明したように構成され、従来に比べ、リサイクル経路上の凝縮器からの凝縮水を適切に処理し得る。
【図面の簡単な説明】
【００１２】
【図１】実施の形態に係る燃料電池システムの構成の一例を示した模式図である。
【図２】図１の燃料電池システムの凝縮器の周辺構造の一例を示した模式図である。
【図３】実施の形態の変形例３に係る燃料電池システムの構成の一例を示した模式図である。
【図４】実施の形態の変形例４に係る燃料電池システムの構成の一例を示した模式図である。
【図５】従来技術を示すものであり、燃料電池システムの構成の一例を示した模式図である。
【図６】従来技術を示すものであり、燃料電池システムの構成の一例を示した模式図である。
【発明を実施するための形態】
【００１３】
本発明者らは、リサイクル経路上の凝縮器からの凝縮水の処理について鋭意検討し、以下の知見を得た。
【００１４】
特許文献１の燃料電池システムでは、ホットモジュール内に配置された減圧器によって高温かつ多湿の改質ガスを減圧後に、凝縮器において改質ガスを冷却している。すると、リサイクル経路を流れる改質ガス中の水蒸気は、凝縮器において除去され、凝縮器内の凝縮水は、排出器を介して外部に排出される。
【００１５】
上記により、特許文献１では、凝縮水によるリサイクル経路の流路閉塞、及び、改質ガスによる昇圧手段等の熱劣化を抑制できると考えられる。
【００１６】
しかし、特許文献１では、凝縮器から凝縮水を排出する際に、凝縮器内の水枯れが発生すると、凝縮器から水素や一酸化炭素を含む改質ガスが外部に放出される恐れがある。
【００１７】
よって、改質ガスが外部に放出しないよう、凝縮器内の凝縮水量を常時、監視する必要がある。この場合、凝縮水を溜める凝縮水タンク、及び、凝縮水タンク内の水位を検知する検知器等を配置する必要があり、システム構成が複雑化し、コストが嵩むという問題がある。
【００１８】
また、特許文献２の燃料電池システムでは、蒸発器から改質器に供給される、脱硫後の原料ガスの一部が、改質触媒を備える分岐戻し流路を流れる構成である。よって、高温かつ多湿の改質ガスを、冷却及び水蒸気除去を行わないまま、原料ガスと混合し、昇圧部及び脱硫器へ供給する構成となっているので、信頼性に欠ける。つまり、この場合、凝縮水によるガス経路の流路閉塞、及び、改質ガスによる昇圧部等の熱劣化の恐れがある。
【００１９】
本発明は、このような知見に基づいて案出できたものであり、本発明の第１の態様に係る燃料電池システムは、供給された燃料と空気とを利用して発電反応により発電する燃料電池と、燃料電池で未利用の燃料と空気とを燃焼する燃焼部と、原料に含まれる硫黄成分を水添脱硫により除去する脱硫部と、燃焼部の燃焼による燃焼熱を利用して、脱硫部を通過した原料から燃料となる改質ガスを生成する改質器と、改質器から燃料電池へと改質ガスを供給する改質ガス経路と、改質ガス経路の分岐部から分岐し、脱硫部の上流側へ改質ガスを供給するリサイクル経路と、リサイクル経路の途中に配置され、改質ガス中の水蒸気を凝縮させる凝縮器と、凝縮器から、改質器へ、又は、改質ガス経路のうちの分岐部より下流側に位置する合流部へ、凝縮器中の凝縮水を供給する水経路と、を備える。
【００２０】
上記構成によると、従来に比べ、リサイクル経路上の凝縮器からの凝縮水を適切に処理し得る。具体的には、本燃料電池システムは、凝縮器中の凝縮水が、水経路を介して、改質器へ、又は、改質ガス経路の分岐部より下流側に位置する合流部、へ戻る。よって、従来に比べ、リサイクル経路中の改質ガスの外部放出を抑制するとともに、凝縮器からの凝縮水を適切に処理できる。
【００２１】
また、本発明の第２の態様に係る燃料電池システムは、上記の第１の態様において、水経路は、凝縮器から合流部へ凝縮器中の凝縮水を供給するように構成され、合流部は、凝縮器よりも重力が作用する方向において下方に位置してもよい。
【００２２】
上記構成によると、凝縮水を重力の作用により改質ガス経路の合流部へ戻すことができる。また、水経路を凝縮水で水封することにより、高温の改質ガスが凝縮器に逆流を抑制でき、冷却した改質ガスが改質ガス経路の合流部に流れ込むことを抑制できる。
【００２３】
また、本発明の第３の態様に係る燃料電池システムは、上記の第１または第２の態様において、水経路の断面積は、改質ガス経路の断面積よりも小さくてもよい。
【００２４】
上記構成によると、水経路での凝縮水の流れが安定化する。
【００２５】
また、本発明の第４の態様に係る燃料電池システムは、上記の第１−第３のいずれかの態様において、燃料電池、燃焼部及び改質器を少なくとも覆う断熱部をさらに備え、凝縮器は、断熱部内に埋設されるように配置されてもよい。
【００２６】
上記構成によると、凝縮器を断熱部内に埋設しない場合に比べ、凝縮器内の凝縮水が低温になり過ぎることを抑制できる。よって、燃料電池システムの熱ロスを低減できる。
【００２７】
また、本発明の第５の態様に係る燃料電池システムは、上記の第１−第４のいずれかの態様において、固体酸化物形燃料電池システムであってもよい。
【００２８】
上記構成によると、固体酸化物形燃料電池の作動温度が高いため、凝縮器から改質ガス経路に凝縮水を直接戻した場合であっても、凝縮水を瞬時に蒸発できる。
【００２９】
また、本発明の第６の態様に係る燃料電池システムは、上記の第１−第５のいずれかの態様において、水経路に設けられた弁をさらに備えてもよい。
【００３０】
上記構成によると、弁の開閉によって適量の凝縮水を溜めことができるので、かかる弁を設けない場合に比べ、凝縮水による水経路の水封を適切に維持できる。
【００３１】
また、本発明の第７の態様に係る燃料電池システムは、上記の第１−第６のいずれかの態様において、リサイクル経路のうちの凝縮器より下流側の部分に配置された減圧器をさらに備えてもよい。
【００３２】
上記構成によると、凝縮器よりも上流のリサイクル経路に減圧器を配置する場合に比べ、凝縮器の内圧を高圧に維持できるので、凝縮器から、改質器へ、又は、改質ガス経路の合流部へ凝縮水を戻すことが容易になる。
【００３３】
以下、実施の形態の具体例について図面を参照して説明する。なお、以下では全ての図を通じて同一又は対応する構成部材には同一の参照符号を付して、その説明については省略する場合がある。
【００３４】
（実施の形態）
図１を参照して実施の形態に係る燃料電池システムについて説明する。図１は、実施の形態に係る燃料電池システムの構成の一例を示した模式図である。図１では、実施の形態に係る燃料電池システムを側部から見たときの構成を模式的に示している。
【００３５】
図１に示すように、燃料電池システムは、脱硫部３、改質器４、空気熱交換器５、燃料電池６、蒸発器９、燃焼部２３及び凝縮器２４を筐体７の内部に配置してなる構成である。また、燃料電池システムは、昇圧器２、気液分離部３１及び減圧器３２を筐体７の外部に配置してなる構成である。なお、燃料電池６の上部には燃焼部２３が設けられている。
【００３６】
本実施の形態の燃料電池システムでは、筐体７の外部から供給された原料ガス（原燃料ガス）を改質器４で改質し、改質された改質ガス（燃料ガス）と外部から供給された空気とを利用して燃料電池６が発電反応により発電するように構成されている。よって、本実施の形態では、原料ガス経路１を通じて外部から供給されるガスを原料ガス（原料）と称し、原料ガスから硫黄成分が取り除かれ、改質器４において改質反応により改質された改質ガスを燃料ガス（燃料）と称する場合がある。
【００３７】
燃料電池システムは、燃料電池６の動作時（発電時）には、燃焼部２３にて、発電反応に利用されなかった燃料ガスと空気とを燃焼させ、高温の排ガスを生成し、その熱エネルギーを有効に利用することで高効率な運転を実現している。
【００３８】
また、燃料電池システムは、筐体７の内側に断熱材からなり、燃料電池６、燃焼部２３及び改質器４を少なくとも覆う断熱部２２を備える。これにより、筐体７の内部から外部への放熱を可能な限り遮断するように構成されている。
【００３９】
昇圧器２は、原料ガス経路１中の原料ガスを昇圧して脱硫部３に供給する。上記のとおり、昇圧器２は、筐体７からの熱の影響を受けにくくなるよう、筐体７の外部に配置されている。昇圧器２としては、例えば、ダイヤフラム等の定容積型ポンプが用いられるが、これに限定されない。なお、原料ガスとしては、例えば、都市ガス、天然ガス、ＬＰＧ等の炭化水素を主成分とするガスが用いられる。
【００４０】
脱硫部３は、水添脱硫により原料ガスに含まれる硫黄成分を除去する。
脱硫部３に充填する脱硫剤としては、例えば、銅および亜鉛を含む脱硫剤が挙げられる（例えば、特許文献３）。なお、脱硫剤は、水添脱硫を行うことができれば、この脱硫剤に限定されるものではなく、Ｎｉ−Ｍｏ系又はＣｏ−Ｍｏ系触媒と酸化亜鉛との組み合わせであってもよい。Ｎｉ−Ｍｏ系又はＣｏ−Ｍｏ系触媒と酸化亜鉛とを組み合わせた脱硫剤の場合、脱硫部３は３５０〜４００℃の温度範囲にて、原料ガス中の有機硫黄を水添分解する。そして、脱硫部３は、生成したＨ２Ｓを、３５０〜４００℃の温度範囲にてＺｎＯに吸着させて除去する。
【００４１】
例えば、原料ガスが都市ガスの場合、付臭剤として硫黄化合物であるジメチルスルフィド（dimethl sulfide ;Ｃ２Ｈ６Ｓ，ＤＭＳ）が含有されている。このＤＭＳは、脱硫部３において、以下の反応式（式（１）、（２））によるＺｎＳの形、または物理吸着の形で脱硫剤に除去される。
【００４２】
Ｃ２Ｈ６Ｓ＋２Ｈ２→２ＣＨ４＋Ｈ２Ｓ      ・・・（１）
Ｈ２Ｓ＋ＺｎＯ→Ｈ２Ｏ＋ＺｎＳ          ・・・（２）
なお、付臭剤は、上述したＤＭＳに限定されるものではなく、ＴＢＭ（Ｃ４Ｈ１０Ｓ）またはＴＨＴ（Ｃ４Ｈ８Ｓ）等の他の硫黄化合物であってもよい。
【００４３】
銅および亜鉛を含む脱硫剤を用いる場合は、脱硫部３は、１０〜４００℃程度、好ましくは１５０〜３００℃程度の温度範囲で脱硫を行う。この銅亜鉛系脱硫剤は、水添脱硫能力に加えて物理吸着能力もあり、低温では主に物理吸着、高温では化学吸着（Ｈ２Ｓ＋ＺｎＯ→Ｈ２Ｏ＋ＺｎＳ）を行うことができる。この場合、脱硫後の原料ガスに含まれる硫黄含有量は、１ｖｏｌ  ｐｐｂ（parts per billion）以下、通常は０．１ｖｏｌ  ｐｐｂ以下となる。
【００４４】
このように、脱硫部３において、Ｎｉ−Ｍｏ系又はＣｏ−Ｍｏ系触媒、あるいは銅および亜鉛のいずれかを含む脱硫剤が充填されている場合、単位体積あたりの硫黄成分除去量が大きくなる。それゆえ、上述した脱硫剤を用いる場合、所望の硫黄濃度まで硫黄を除去するために必要となる脱硫剤の量を低減させることができる。
【００４５】
以上のようにして脱硫部３によって脱硫された原料ガスは、改質器４（蒸発器９）に供給される。
【００４６】
改質器４は、燃焼部２３の燃焼による燃焼熱（例えば、排ガスの熱や燃焼部２３からの輻射熱）を利用して、脱硫部３を通過した原料から燃料となる改質ガスを生成する。改質反応は、どのような形態であってもよく、例えば、水蒸気改質反応、オートサーマル反応及び部分酸化反応等が挙げられる。
【００４７】
但し、改質器４は、高効率な水蒸気改質反応を行える仕様にしておくことが有利である。そこで、図１に示すように、本実施の形態では、改質器４の上流側に蒸発器９を配置し、脱硫部３からの原料ガスに改質水経路１１を通じて供給された水を混合させ、改質器４に供給することができる構成となっている。
【００４８】
なお、改質器４に充填される改質触媒としては、Ａｌ２Ｏ３（アルミナ）の球体表面にＮｉを含浸し、担持したものや、Ａｌ２Ｏ３の球体表面にルテニウムを付与したものを適宜用いることができる。なお、改質触媒はこれに限定されるものではない。例えば、ＲｕまたはＲｈをジルコニアまたは安定化ジルコニアに担持させたものを用いてもよい。また、ロジウムとロジウム以外の周期律表第ＶＩＩＩ族金属から選ばれる少なくとも１種の金属とを、Ａｌ２Ｏ３（アルミナ）とジルコニアとを含む担体に担持させてなるものを用いてもよい。
【００４９】
ところで、燃料電池システムの起動時では、改質器４において吸熱反応である水蒸気改質反応を行うためには熱エネルギーが不足する。そこで、改質器４を水蒸気改質反応だけでなく、部分酸化反応を行える仕様にしてもよい。そこで、燃料電池システムの起動時は、改質水経路１１から改質器４（蒸発器９）に水を供給させずに、改質空気経路１２を通じて改質器４に導入した空気を利用して、改質器４は以下の式（３）で表される部分酸化改質反応（部分酸化法による反応）を行い、水素ガスおよび一酸化炭素を生成する。
【００５０】
ＣｎＨｍ ＋ （ｎ／２）Ｏ２ → ｎ・ＣＯ ＋（ｍ／２）Ｈ２ 
（ｎ，ｍは任意の自然数）・・・（３）
【００５１】
そして、これらの水素ガスおよび一酸化炭素を、改質ガス経路１６を通じて燃料電池６に供給し、空気供給経路１７を通じて供給された空気と合わせて、発電反応を行う。
燃料電池システムが起動して発電が進むにつれ、改質器４の温度が上昇していく。すなわち、上記の式（３）で示される部分酸化改質反応は発熱反応であり、更に、燃焼部２３からの排ガス及び輻射熱により、改質器４の温度が上昇させられる。そして、改質器４の温度が、例えば、４００℃以上になれば以下の式（４）で示される水蒸気改質反応を並行して行うことが可能となる。
【００５２】
ＣｎＨｍ ＋ ｎ・Ｈ２Ｏ → ｎ・ＣＯ ＋（ｍ／２ ＋ ｎ）Ｈ２
（ｎ，ｍは任意の自然数）・・・（４）
【００５３】
上述した式（４）で示される水蒸気改質反応は、式（３）で示される部分酸化改質反応と比較すると、同じ量の炭化水素（ＣｎＨｍ）から生成できる水素量がより多くなり、その結果、燃料電池６での発電反応に利用可能な改質ガス（燃料ガス）の量が多くなる。つまり、水蒸気改質反応の方が効率よく燃料ガスを生成することができる。また、式（４）に示す水蒸気改質反応は吸熱反応であるため、式（３）に示す部分酸化改質反応による発熱量と燃焼部２３から排出された排ガスが保有する熱及び燃焼部２３からの輻射熱を利用し、必要な熱量を補いつつ、水蒸気改質反応を進行させる。そして、改質器４の温度が例えば、６００℃以上になれば、式（４）の水蒸気改質反応に必要な熱量を排ガスの有する熱及び燃焼部２３からの輻射熱だけで補うことが可能となるため、水蒸気改質反応のみの運転に切り替えることができる。
【００５４】
なお、改質器４は、上述したように部分酸化改質反応から水蒸気改質反応に運転を切り替える構成であったが、部分酸化改質反応のみを行ってもよい。
【００５５】
蒸発器９は、改質器４にて水蒸気改質反応を行うために改質水を蒸発させる。具体的には、蒸発器９は、燃焼部２３から排出された排ガスの熱及び燃焼部２３からの輻射熱を利用して、改質水経路１１から供給された水を気化させ、脱硫部３から供給された脱硫後の原料ガスと混合させる。そして、蒸発器９は、混合後の原料ガスを改質器４へ導入する。
空気熱交換器５は、燃料電池６での発電反応用の空気（発電用空気）を加熱する。具体的には、空気熱交換器５は、燃焼部２３の上方、かつ、対向する位置に設けられ、空気経路１０を通じて外部から供給された空気を、燃焼部２３からの排ガス及び輻射熱との熱交換により加熱する。例えば、空気熱交換器５を流通した後の空気は４００〜８００℃まで加熱される。そして、この加熱された空気が燃料電池６へ供給される。なお、空気熱交換器５により空気との熱交換を行って保有する熱の一部が奪われた排ガスは、排ガス経路２０を通じて筐体７の外部へ導かれるように構成されている。
【００５６】
燃料電池６は、上述したように改質ガス経路１６を通じて供給された燃料ガスと、空気供給経路１７を通じて供給された空気とを利用して発電反応により発電する。すなわち、燃料電池６では、燃料ガスが供給される燃料極および空気（発電用空気）が供給される空気極を有し、該燃料極と該空気極との間で発電反応を行って発電する燃料電池単セルを複数枚、直列に接続してセルスタックを形成している。なお、燃料電池６は、更に直列接続したセルスタックを並列に接続させた構成としてもよい。
【００５７】
燃料電池６を構成する燃料電池単セルとしては、例えば、イットリアをドープしたジルコニア（ＹＳＺ）、イットリビウムやスカンジウムをドープしたジルコニア、あるいはランタンガレート系の固体電解質からなる固体酸化物形燃料電池（ＳＯＦＣ）の単セルを用いることができる。例えば、燃料電池単セルがＹＳＺの場合、厚みにもよるが、約６００〜１０００℃の温度範囲にて、発電反応が行われる。
【００５８】
ここで、上記のとおり、改質ガス経路１６は、改質器４から燃料電池６へと改質ガス（燃料ガス）を供給する。また、リサイクル経路１９は、改質ガス経路１６の分岐部３５から分岐し、脱硫部３の上流側へ改質ガスを供給する。リサイクル流路１９の下流端は、昇圧器２よりも上流の原料ガス経路１に接続する。これにより、改質器４からの改質ガスが、リサイクル流路１９を介して、原料ガス経路１に送られる。このため、脱硫部３へ供給される原料ガスに水素を添加することが可能となり、脱硫部３は、この水素を利用して水添脱硫を行うことができる。
【００５９】
凝縮器２４は、リサイクル経路１９の途中に配置され、改質ガス中の水蒸気を凝縮させる。つまり、凝縮器２４において、高温の改質ガスの温度低下により、改質ガス中の水蒸気が凝縮する。
【００６０】
これにより、リサイクル経路１９を流れる改質ガスは、凝縮器２４において所望の温度にまで冷却されるので、改質ガスによる昇圧器２及び減圧器３２等の機器の熱劣化を抑制できる。また、改質ガスから水蒸気を除去できるので、凝縮器２４の下流のリサイクル経路１９では、改質ガス中の水蒸気凝縮による凝縮水発生が抑制される。よって、凝縮水によるリサイクル経路１９の流路閉塞、凝縮水による上記の機器及び脱硫部３等の水濡れ故障を抑制できる。
【００６１】
凝縮器２４は、例えば、二重管形熱交換器を用いて構成できる。この熱交換器は、直交流及び並行流に比べて伝熱性能がよい対向流を、簡易に（例えば、小型に）実現できるという特徴を持つ。本実施の形態では、熱交換器の受熱流体である冷媒は、垂直に配された二重直管の内管を、重力が作用する方向と逆に流れ、熱交換器の加熱流体である改質ガスは、本二重直管の内管と外管の間を、上記冷媒とは逆方向（重力が作用する方向）に流れる。
【００６２】
これにより、両流体の流れが対向するように凝縮器２４を構成できる。また、改質ガスの流れ方向が、重力が作用する方向と同じなので、改質ガスの流れ及び重力の作用により、凝縮器２４内の凝縮水を強制的に排水できる。よって、凝縮水が、凝縮器２４に滞留することを抑制できる。
【００６３】
冷媒は、凝縮器２４において、リサイクル流路１９を流れる改質ガスから熱を奪うことが可能であれば、どのような流体でも構わない。冷媒は、空気経路１０を流れる空気を用いてもいいし、原料ガス経路１を流れる原料ガスを用いてもいいし、改質水経路１１を流れる水を用いてもいい。例えば、冷媒として空気を用いる場合、冷媒経路５０を、空気経路１０の空気取り出し口（図示せず）から延ばし、二重直管の内管を通過させ、空気取り出し口よりも下流に位置する空気経路１０の空気戻り口（図示せず）に至るよう、形成するとよい。
【００６４】
これにより、空気熱交換器５の前段において、空気経路１０を流れる空気を改質ガスとの熱交換により適温にまで予熱できるので、燃料電池システムの熱回収を効率化できる。
【００６５】
なお、本実施の形態では、凝縮器２４として、熱交換器を用いたが、これに限定されない。凝縮器２４は、改質ガスを冷却し、改質ガス中の水蒸気を除去することが可能であれば、どのような構成であっても構わない。
【００６６】
また、本実施の形態では、凝縮器２４は、上記の断熱部２２内に埋設されるように配置されている。つまり、断熱部２２は、凝縮器２４内の温度を一定に保つための保温材の役割を果たす。これにより、例えば、外気温が低温のとき、凝縮器２４を断熱部２２内に埋設しない場合に比べ、凝縮器２４内の凝縮水が低温になり過ぎることを抑制できる。よって、燃料電池システムの熱ロスを低減できる。また、凝縮器２４を断熱部２２内に埋設できると、筐体７に凝縮器２４の収納スペースを確保することもできる。
【００６７】
但し、凝縮器２４内の凝縮水の温度低下等がさほど問題とならない場合は、凝縮器２４は、断熱部２２内に埋設せずに、筐体７の外部に配置しても構わない。
【００６８】
気液分離部３１は、凝縮器２４から排出された、凝縮水及び改質ガスが混在する気液二相流を凝縮水と改質ガスとに分離する。よって、凝縮水は、気液分離部３１において、改質ガスが流れるリサイクル経路１９から除去され、気液分離部３１内に一時的に貯えられる。その後、凝縮水は、適時に、気液分離部３１から水経路３３へ送られる。
【００６９】
図１に示すように、気液分離部３１は、断熱部２２の外部に配置してもよい。これにより、気液分離部３１を、筐体７からの熱の影響を受けにくく構成でき、気液分離部３１内の凝縮水の再蒸発が抑制される。
【００７０】
なお、本実施の形態では、気液分離部３１と凝縮器２４とを別体で構成したが、これに限らない。気液分離部３１と凝縮器２４とを一体で構成してもよい。この場合、凝縮器の下端部は、気液分離部の凝縮水を溜める部分として機能する。
【００７１】
水経路３３は、凝縮器２４から改質ガス経路１６のうちの分岐部３５より下流側に位置する合流部３６へ、凝縮器２４中の凝縮水を供給する。
【００７２】
これにより、本実施の形態では、従来に比べ、リサイクル経路１９上の凝縮器２４（ここでは、気液分離部３１）からの凝縮水を適切に処理し得る。具体的には、リサイクル経路１９中の改質ガスの外部放出を抑制するとともに、気液分離部３１からの凝縮水を、燃焼部２３の熱によって適切に処理できる。つまり、凝縮水は、燃焼部２３の熱によって再蒸発し、改質ガスと共に燃焼部２３で燃焼し、排ガス経路２０から排出される。特に、本実施の形態の如く、燃料電池６を固体酸化物形燃料電池で構成する場合、固体酸化物形燃料電池の作動温度が高いため、凝縮器２４（気液分離部３１）から改質ガス経路１６に凝縮水を直接戻した場合であっても、凝縮水を瞬時に蒸発できる。そして、このとき、気液分離部３１の水枯れが発生した場合でも、改質ガスは、気液分離部３１から水経路３３を経て、改質ガス経路１６に送られる。よって、改質ガスは、燃料電池システムの外部に放出されない。
【００７３】
減圧器３２は、リサイクル経路１９のうちの凝縮器２４より下流側の部分に配置されている。つまり、減圧器３２は、昇圧器２により昇圧された改質ガスの圧力を減圧し、改質ガスの流量を、所望の量に調整する。なお、減圧器３２は、改質ガスの流量を、所望の量に調整可能であれば、どのような構成であってもよい。減圧器３２は、例えば、オリフィス、キャピラリチューブ、または流量調整弁であってもよい。例えば、減圧器３２を、キャピラリチューブ等を用いてガス流路を細くし、圧力損失を大きくさせることで、リサイクル経路１９内を所望の流量だけ改質ガスが流れるように構成してもよい。
【００７４】
以上により、本実施の形態では、凝縮器２４よりも上流のリサイクル経路１９に減圧器３２を配置する場合に比べ、凝縮器２４及びその下流の気液分離部３１の内力を高圧に維持できる。よって、凝縮器２４（気液分離部３１）の内圧を、改質ガス経路１６のガス圧とほぼ同じに維持できるので、気液分離部３１から改質ガス経路１６の合流部３６に凝縮水を戻すことが容易になる。例えば、後述の変形例１で述べるように、改質ガス経路１６の合流部３６が、凝縮器２４（気液分離部３１）よりも重力が作用する方向において下方に位置すると、凝縮水を重力の作用により合流部３６に送ることができる。
【００７５】
［実施例］
以下、凝縮器２４の実施例について説明する。以下の具体的な数値は、例示であって、本実施の形態の燃料電池システムは、本例に限定されない。なお、改質ガス経路１６の分岐部３５において、約２％の改質ガスがリサイクル経路１９を流れ、約９８％の改質ガスが、分岐部３５の下流側の改質ガス経路１６を流れるように、改質ガスの流量が調整されている。
【００７６】
凝縮器２４の内管・・・・・外径約６ｍｍ、熱交換長さ約１５０ｍｍ
凝縮器２４の外管・・・・・外径約１３ｍｍ、熱交換長さ約１５０ｍｍ
凝縮器２４の受熱流体・・・約２０℃の空気、流量約７Ｌ／ｍｉｎ
凝縮器２４の加熱流体・・・約６００℃の改質ガス、流量約１Ｌ／ｍｉｎ
【００７７】
上記の凝縮器２４において、両流体の流れが対向する場合、リサイクル経路１９を流れる改質ガスは、空気との熱交換により、約３０℃の適温にまで冷却できる。よって、改質ガスによる昇圧器２及び減圧器３２等の機器の熱劣化を抑制できる。また、冷媒経路５０を流れる空気は、改質ガスとの熱交換により、約１００℃以上の適温にまで予熱できるので、燃料電池システムの熱回収を効率化できる。そして、このとき、約０．１ｇ／ｍｉｎ程度のごく僅かな量の凝縮水が発生し、この凝縮水は、改質ガスの流れと重力の作用により、凝縮器２４に滞留することなく、凝縮器２４の外部へ強制的に排水され、気液分離部３１に一時的に貯えられる。気液分離部３１内の凝縮水は、水経路３３を介して改質ガス経路１６の合流部３６に送られて、燃焼部２３の熱によって適切に処理される。このため、気液分離部３１の水枯れが発生した場合でも、改質ガスは、燃料電池システムの外部に放出されない。
【００７８】
なお、凝縮器２４の外管を、例えば、２００ｍｍ×Φ１２ｍｍ程度の小型の円筒部材で構成すると、筐体７内に凝縮器２４を容易に組み込むことができる。
【００７９】
（変形例１）
図２を参照して実施の形態の変形例１に係る燃料電池システムについて説明する。図２は、図１の燃料電池システムの凝縮器の周辺構造の一例を示した模式図である。
本変形例では、図２に示すように、改質ガス経路１６の合流部３６は、凝縮器２４よりも重力が作用する方向２００において下方に位置する。つまり、気液分離部３１の凝縮水を、改質ガス経路１６の分岐部３５よりも下流側であって、重力が作用する方向２００において凝縮器２４より下方に位置する合流部３６（分岐部３５よりも燃料電池６側に近い位置）に、水経路３３を介して戻される構成とする。
【００８０】
例えば、図２に示すように、気液分離部３１の下端部の近傍に、水経路３３の一端を接続し、改質ガス経路１６の合流部３６に、水経路３３の他端を接続し、気液分離部３１から合流部３６に向かって下方に傾斜するように、水経路３３を形成するとよい。
【００８１】
以上により、凝縮水は、重力の作用により改質ガス経路１６へ戻すことができる。また、水経路３３を凝縮水で水封することにより、高温の改質ガスが、気液分離部３１に逆流することを抑制でき、冷却した改質ガスが、改質ガス経路１６の合流部３６に流れ込むことを抑制できる。
【００８２】
（変形例２）
図２を参照して実施の形態の変形例２に係る燃料電池システムについて説明する。
【００８３】
本変形例では、水経路３３の断面積を、改質ガス経路１６の断面積よりも小さくしている。例えば、水経路３３を、改質ガス経路１６よりも断面積が小さなキャピラリチューブ等を用いて構成してもよい。そして、この場合、気液分離部３１での水位差による圧力ΔＰが、水経路３３の圧力損失ΔＰ’とほぼ等しくなるように、水経路３３を細く設計するとよい。
【００８４】
以上により、水経路３３において、改質ガス経路１６に比べて流体抵抗が増加し、水経路３３での凝縮水の流れが安定化する。また、気液分離部３１での水位差が変動しても、気液分離部３１から改質ガス経路１６へ凝縮水を緩やかに排出することができる。
【００８５】
更に、凝縮器２４で発生する凝縮水量がごく僅かな量であると、気液分離部３１の水位の変動等により、水経路３３内を凝縮水で満たすことができずに、水経路３３を凝縮水で適切に水封できない場合が生じる。すると、高温の改質ガスが、気液分離部３１に逆流し、冷却した改質ガスが、改質ガス経路１６に流れ込む可能性があるが、上記の構成により、かかる可能性を低減できる。
【００８６】
なお、水経路３３の断面積が小さすぎると、水経路３３の目詰まりの可能性が高くなるので、水経路３３の径の微小化には自ずと限界がある。
【００８７】
［実施例］
以下、水経路３３の実施例について説明する。以下の具体的な数値は、例示であって、本変形例の燃料電池システムは、本例に限定されない。
【００８８】
凝縮器２４で発生する凝縮水量・・・・・・・・約０．１ｇ／ｍｉｎ
改質ガス経路１６を形成する配管・・・・・・・内径約５ｍｍ
水経路３３を形成するキャピラリチューブ・・・内径約３ｍｍ、長さ約１５０ｍｍ
【００８９】
上記の水経路３３を用いると、気液分離部３１の凝縮水は、水経路３３内を、約１０分かけてゆっくりと合流部３６へ流れ込み、水経路３３内を凝縮水で適切に水封することができる。
【００９０】
（変形例３）
図３を参照して実施の形態の変形例３に係る燃料電池システムについて説明する。図３は、実施の形態の変形例３に係る燃料電池システムの構成の一例を示した模式図である。
図３に示すように、本変形例の燃料電池システムは、脱硫部３、改質器４、空気熱交換器５、燃料電池６、蒸発器９、燃焼部２３及び凝縮器２４を筐体７の内部に配置してなる構成である。また、この燃料電池システムは、昇圧器２、気液分離部３１、減圧器３２及び開閉弁３４を筐体７の外部に配置してなる構成である。
【００９１】
脱硫部３、改質器４、空気熱交換器５、燃料電池６、蒸発器９、燃焼部２３及び凝縮器２４、昇圧器２、気液分離部３１及び減圧器３２については実施の形態と同じであるので説明を省略する。つまり、本変形例では、開閉弁３４を更に備える点で実施の形態と異なる。
【００９２】
開閉弁３４は、水経路３３に設けられている。気液分離部３１内に凝縮水が溜まるタイミングに合わせて開閉弁３４を開放すると、適量の凝縮水を気液分離部３１に溜めことができる。よって、かかる開閉弁３４を設けない場合に比べ、凝縮水による水経路３３の水封を適切に維持できる。
【００９３】
なお、開閉弁３４は、断熱部２２の外部に配置してもよい。これにより、開閉弁３４を、筐体７からの熱の影響を受けにくく構成でき、開閉弁３４の耐久性が低下することを抑制できる。
【００９４】
（変形例４）
図４を参照して実施の形態の変形例４に係る燃料電池システムについて説明する。図４は、実施の形態の変形例４に係る燃料電池システムの構成の一例を示した模式図である。
図４に示すように、本変形例の燃料電池システムは、脱硫部３、改質器４、空気熱交換器５、燃料電池６、蒸発器９、燃焼部２３及び凝縮器２４を筐体７の内部に配置してなる構成である。また、この燃料電池システムは、昇圧器２、気液分離部３１、減圧器３２及びポンプ３７を筐体７の外部に配置してなる構成である。
【００９５】
脱硫部３、改質器４、空気熱交換器５、燃料電池６、蒸発器９、燃焼部２３及び凝縮器２４、昇圧器２、気液分離部３１及び減圧器３２については実施の形態と同じであるので説明を省略する。つまり、本変形例では、凝縮器２４から合流部３６へ凝縮器２４中の凝縮水を供給する水経路３３（図１参照）に代えて、水経路３３Ａ及びポンプ３７を備える点で実施の形態と異なる。
【００９６】
凝縮器２４で発生する凝縮水は、実施の形態の如く、燃料電池システムの熱を利用して排出処理してもいいが、かかる凝縮水を回収し、改質器４の改質水として再利用してもよい。
【００９７】
そこで、本変形例では、水経路３３Ａは、凝縮器２４から改質器４へ凝縮器２４中の凝縮水を供給する。具体的には、凝縮器２４で発生する凝縮水は、気液分離部３１に接続される水経路３３Ａを経て、改質水経路１１に送られる。その後、凝縮水は、蒸発器９に送られ、改質器４に供給される。
【００９８】
これにより、改質水として外部から供給すべき水の量を削減できるとともに、燃料電池システムを効率よく安定的に動作できる。
【００９９】
なお、気液分離部３１の内圧は、上記のとおり、高圧のままであるので、凝縮水は、例えば、上記の変形例１と同様、重力の作用により改質水経路１１へ送ることができる。但し、図４に示すように、水経路３３Ａの途中に、ポンプ３７を配置し、これにより、凝縮水を改質水経路１１に圧送するように構成してもよい。
【０１００】
上記説明から、当業者にとって、本発明の多くの改良や他の実施形態が明らかである。従って、上記説明は、例示としてのみ解釈されるべきであり、本発明を実行する最良の態様を当業者に教示する目的で提供されたものである。本発明の精神を逸脱することなく、その構造及び／又は機能の詳細を実質的に変更できる。
【０１０１】
例えば、上記の実施の形態および変形例１−４では、燃焼部２３の上方でかつ対向する位置（つまり、筐体７の上壁）となる断熱部２２内に、脱硫部３が配置される例を述べた。しかし、脱硫部３の配置位置は、この位置に限定されるものではなく、例えば、筐体７の側面下方の断熱部２２内に脱硫部を配置してもよい。ただし、筐体７の上壁では輻射熱の温度分布が略均一化するようになっている。よって、脱硫部３を筐体７の上壁に配置する方が、輻射熱による脱硫部３の温度分布を均一化できるので有利である。
【０１０２】
また、燃料電池システムの長時間の運転の後、脱硫部３の脱硫剤が劣化した際には、燃料電池システムの性能が低下する。そこで、適宜の着脱手段により、脱硫部３を筐体７から着脱可能に構成してもよい。これにより、脱硫剤が劣化した脱硫部３を新しい脱硫部と交換するだけで、固体酸化物形燃料電池システムの長時間に亘る運転が可能となる。
【産業上の利用可能性】
【０１０３】
本発明は、従来に比べ、リサイクル経路上の凝縮器からの凝縮水を適切に処理し得る。よって、本発明は、例えば、燃料電池システムに利用できる。
【符号の説明】
【０１０４】
１            原料ガス経路
２            昇圧部
３            脱硫部
４            改質器
５            空気熱交換器
６            燃料電池
７            筐体
９            蒸発器
１０          空気経路
１１          改質水経路
１２          改質空気経路
１６          改質ガス経路
１７          空気供給経路
１９          リサイクル経路
２０          排ガス経路
２２          断熱部
２３          燃焼部
２４          凝縮器
３１          気液分離部
３２          減圧器
３３、３３Ａ  水経路
３４          弁
３５          分岐部
３６          合流部
３７          ポンプ
【図１】
2014135149.tif 000003
【図２】
2014135149.tif 000004
【図３】
2014135149.tif 000005
【図４】
2014135149.tif 000006
【図５】
2014135149.tif 000007
【図６】
2014135149.tif 000008